(57)【要約】  【目的】  急激な環境変化に対しても、ペン先からインキが吹き出すことを極力抑制した塗布具を提供する。  【構成】  弁座となるインキ通孔を有する隔壁と、インキ通孔を閉塞可能な弁体とからなる弁機構を、自由状態でインキを収容するインキ収容室をペン先側の前部と後部とに区画する位置に配置し、後部インキ収容室に過剰圧力が付与された際に前記弁体がインキ通孔を閉塞するようなした塗布具において、塗布具の任意の縦断面における、前記隔壁のインキ通孔の後部インキ収容室に対する開口縁から前部インキ収容室の内壁に至るまでの範囲の隔壁面に対する接線が、この縦断面における前部インキ収容室の内壁面に対して９０度を超える外角度である塗布具とする。【選択図】        図１
2006239904.tif 000002
【特許請求の範囲】
【請求項１】
弁座となるインキ通孔を有する隔壁と、インキ通孔を閉塞可能な弁体とからなる弁機構を、自由状態でインキを収容するインキ収容室をペン先側の前部と後部とに区画する位置に配置し、後部インキ収容室に過剰圧力が付与された際に前記弁体がインキ通孔を閉塞するようなした塗布具において、塗布具の任意の縦断面における、前記隔壁のインキ通孔の後部インキ収容室に対する開口縁から前部インキ収容室の内壁に至るまでの範囲の隔壁面に対する接線が、この縦断面における前部インキ収容室の内壁面に対して９０度を超える外角度である塗布具。
【発明の詳細な説明】
【技術分野】
【０００１】
本発明は、弁座となるインキ通孔を有する隔壁と、インキ通孔を閉塞可能な弁体とからなる弁機構を、自由状態でインキを収容するインキ収容室をペン先側の前部と後部とに区画する位置に配置し、後部インキ収容室に過剰圧力が付与された際に前記弁体がインキ通孔を閉塞するようなした塗布具に関する。
【背景技術】
【０００２】
従来、インキをインキ収容室へ直に収容したタイプの筆記具、所謂生インキ式筆記具において、圧力変化や温度上昇時のインキ収容室の空気膨張による、筆記部からのインキ吹き出しを防止するため、インキ収容室に筆記部へのインキの流れを封止するフロート弁を設けた構造の筆記具が提案されている（特許文献１参照）。
【特許文献１】特開２００４−１４８７４３公報
【発明の開示】
【発明が解決しようとする課題】
【０００３】
特許文献１に記載の発明に開示されているような生インキ式筆記具では、その筆記具が置かれる環境が急に減圧状態となった時に、インキ収容室の空気が膨張するものの、弁がインキ流通孔を封鎖することで、弁よりも後方のインキがペン先へ流入することを抑制し、過剰なインキの噴出しをある程度抑制しえるものと考えられる。しかし、弁よりも前方に収容されたインキは一時的インキ溜め部材に供給され、一時的インキ溜め部材で保持できなくなると結局ペン先からインキが吹き出すことは避けられなかった。しかし、外部から入ってきた空気が、隔壁周辺、特にインキ収容室前方のインキと接する側に残ってしまうことがあり、弁体により後部インキ収容室のインキ流入が塞がれても、結局前部インキ収容室には空気が残っているので、その空気が膨張し、弁よりも前方に収容されたインキはインキ保持部材に供給され、インキ保持部材で保持できなくなると結局ペン先からインキが吹き出すことは避けられないものであった。
【課題を解決するための手段】
【０００４】
本発明は、弁座となるインキ通孔を有する隔壁と、インキ通孔を閉塞可能な弁体とからなる弁機構を、自由状態でインキを収容するインキ収容室をペン先側の前部と後部とに区画する位置に配置し、後部インキ収容室に過剰圧力が付与された際に前記弁体がインキ通孔を閉塞するようなした塗布具において、塗布具の任意の縦断面における、前記隔壁のインキ通孔の後部インキ収容室に対する開口縁から前部インキ収容室の内壁に至るまでの範囲の隔壁面に対する接線が、この縦断面における前部インキ収容室の内壁面に対して９０度を超える外角度である塗布具を要旨とする。
【発明の効果】
【０００５】
任意の縦断面における隔壁のインキ通孔の後部インキ収容室に対する開口縁から前部インキ収容室の内壁に至るまでの範囲の隔壁面に対する接線が、この縦断面における前部インキ収容室の内壁面に対して９０度を超える外角度としている。これは、インキよりも比重が軽い空気である気泡に対してはその浮力による流れに対する障害物がないということであり、前部インキ収容室に留まらずに通過して後部インキ収容室へ流れ、前部インキ収容室への空気の残留が極力抑制されることとなる。これにより、圧力変化や温度上昇などの環境によって、急激な減圧状態が生じても、前部インキ収容室と後部インキ収容室は弁体と弁座によってインキ通孔を閉塞すると共に、空気の残留がほとんどない前部インキ収容室では、空気膨張がほとんど生じないので、インキがペン先側へ押し出されてしまうことが極力抑制されインキ吹き出しを防止することができる。
【発明を実施するための最良の形態】
【０００６】
本発明は、空気交換式の生インキ式塗布具に使用され、特に前部インキ収容室内に一時的インキ溜め部材が配置され、かつ、文字上を塗りつぶす等の線引きを目的とする比較的描線幅が広いラインマーカーのように吐出量の多い塗布具において良好である。塗布具を高地や寒冷地などへ赴いた際の緩やかな環境の下で使用するときだけでなく、航空機内で使用するときなど、急激な環境変化においても確実にペン先からインキが吹き出すことを抑制できる。
【実施例】
【０００７】
以下、図面に基づき一例について説明する。図１に示したものは、生インキ式塗布具で、ポリプロピレンなどの射出成形品である軸筒１の内部に直接インキを収容したインキ収容室を持ち、インキ収容室は隔壁２によって前部インキ収容室１ａと後部インキ収容室１ｂとに分けられている。隔壁２には、前部インキ収容室１ａと後部インキ収容室１ｂとを連通させるインキ通孔３があり、インキと空気の流通を確保している。また、後部インキ収容室１ｂには、後部インキ収容室１ｂ内の空気の膨張に伴い、インキ通孔３を閉塞し得る弁体４が収容されている。弁体４はその比重がインキと同等であり、通常の筆記状態ではインキ通孔３を閉塞することはないが、後部インキ収容室１ｂ内の空気が膨張すると、その圧力によって押されて隔壁２に接触しインキ通孔を閉塞する。
【０００８】
前部インキ収容室１ａには、アクリロニトリルブタジエンスチレン共重合体などの樹脂成形品であるインキを一時的に保留できる一時的インキ溜め部材５が軸筒１に対して圧入により固定されている。一時的インキ溜め部材５には前後に貫通する中孔が形成されており、前部インキ収容室１ａとペン先６とを接続させる繊維収束体棒状物であるインキ誘導部材７が挿入されている。インキ誘導部材７の先端はペン先６に圧入固定されている。
【０００９】
インキ収容室を形成する軸筒１は、合成樹脂の射出成形品であり、インキ収容室の内壁に撥水処理を施せば、壁面に付着する水性インキを極力少なくすることができ、インキは最後まで消費されるようにできる。また、残量が視認できるように透明の材質を用いてもよい。
【００１０】
前述の通り、隔壁２はインキ通孔３を貫設してあり、このインキ通孔３はペン先６側へ徐々にテーパー状に広がっている。インキ通孔インキ通孔３は、後部インキ収容室から前方へインキが供給されると同時に、インキ吐出に伴って外部から供給される空気の通り道でもある。隔壁２に親水処理を行えば、隔壁２の表面の水性インキに対する濡れ性が高いものとなり、隔壁周辺に空気が留まることをより確実に抑制できる。
【図面の簡単な説明】
【００１１】
【図１】一例を示す縦断面図
【符号の説明】
【００１２】
１  軸筒
１ａ  前部インキ収容室
１ｂ  後部インキ収容室
２  隔壁
３  インキ通孔
４  弁体
５  一時的インキ溜め部材
６  ペン先
７  インキ誘導部材
【図１】
2006239904.tif 000003